【手続補正書】
【提出日】平成23年3月24日(2011.3.24)
【手続補正１】
【補正対象書類名】特許請求の範囲
【補正対象項目名】全文
【補正方法】変更
【補正の内容】
【特許請求の範囲】
【請求項１】
蛍光体及び１つまたはそれ以上の透明基層を含むことを特徴とする非接触式座標入力システム用導光板。
【請求項２】
前記蛍光体は、前記導光板が有する前記透明基層の表面にコーティングされた形態または前記透明基層の内部にドーピングされた形態で前記導光板に含まれることを特徴とする請求項１に記載の非接触式座標入力システム用導光板。
【請求項３】
前記透明基層はヘイズ（ｈａｚｅ）が１０％以下で、用いる蛍光物質の吸収発光波長領域における透過率が８０％以上であることを特徴とする請求項２に記載の非接触式座標入力システム用導光板。
【請求項４】
前記透明基層はガラス、ポリオレフィン、オレフィンコーポリマー、アクリル、ポリビニル、ポリウレタン、ポリアセタルとエポキシレジンを含むエーテルポリマー、ＰＣを含むポリエステル、ポリアミド、ポリサルフォン、シリコンのうちから選ばれた材質からなることを特徴とする請求項３に記載の非接触式座標入力システム用導光板。
【請求項５】
前記導光板の外側に導光板に含まれた基材のうち最も屈折率が高い基材対比屈折率が０．０５以上低い低屈折率層をさらに含むことを特徴とする請求項１から４のいずれか１項に記載の非接触式座標入力システム用導光板。
【請求項６】
前記屈折率が０．０５以上低い前記低屈折率層は、内部が多孔質または空洞の中空シリカ微粒子、またはフッ素系樹脂を用いるか、ＣａＦ２、ＭｇＦ２、ＮａＡｌＦ４、ＳｉＯ２、ＴｈＦ４、ＺｒＯ２、Ｎｄ２Ｏ３、ＳｎＯ２、ＴｉＯ２、ＣｅＯ２、ＺｎＳ、Ｉｎ２Ｏ３等の誘電体をドライ及びウェットコーティングして形成されることを特徴とする請求項５に記載の非接触式座標入力システム用導光板。
【請求項７】
前記蛍光体は、導光板に含まれたとき導光板のｈａｚｅが１０％以下になるようにすることを特徴とする請求項１から６のいずれか１項に記載の非接触式座標入力システム用導光板。
【請求項８】
前記蛍光体はシアニン（ｃｙａｎｉｎｅ）、ペリレン（ｐｅｒｙｌｅｎｅ）、アントラキノン（ａｎｔｈｒａｑｕｉｎｏｎｅ）、キサンテン（ｘａｎｔｈｅｎｅ）系のうちから選ばれた染料であることを特徴とする請求項７に記載の非接触式座標入力システム用導光板。
【請求項９】
前記導光板に到達した光を受けて蛍光体が発光した光を検知する複数の光センサが、前記導光板の横方向の端のうち１つまたは両方と、縦方向の端のうち１つまたは両方で受光部が前記導光板の端に向かうように前記導光板に付着されていることを特徴とする請求項１から８のいずれか１項に記載の非接触式座標入力システム用導光板。
【請求項１０】
光排出装置から放出された光が入射する導光板で、蛍光体及び１つまたはそれ以上の透明基層を含む導光板と、
前記導光板の横方向の端のうち１つまたは両方と、縦方向の端のうち１つまたは両方で受光部が前記導光板の端に向かうように前記導光板に付着され、前記導光板に到達した光を受けて蛍光体が発光した光を検知する複数の光センサと、
前記光センサに連結され導光板に到達した光の到達座標を計算し、ディスプレイ装置またはこれと連結されたコンピュータシステムにその座標を伝達する演算部と、
を備えることを特徴とする非接触式座標入力システム。
【請求項１１】
前記蛍光体は、前記導光板が有する前記透明基層の表面にコーティングされた形態または前記透明基層の内部にドーピングされた形態で前記導光板に含まれることを特徴とする請求項１０に記載の非接触式座標入力システム。
【請求項１２】
前記透明基層はヘイズ（ｈａｚｅ）が１０％以下で、用いる蛍光物質の吸収発光波長領域における透過率が８０％以上であることを特徴とする請求項１１に記載の非接触式座標入力システム。
【請求項１３】
前記透明基層はガラス、ポリオレフィン、オレフィンコーポリマー、アクリル、ポリビニル、ポリウレタン、ポリアセタルとエポキシレジンを含むエーテルポリマー、ＰＣを含むポリエステル、ポリアミド、ポリサルフォン、シリコンのうちから選ばれた材質からなることを特徴とする請求項１２に記載の非接触式座標入力システム。
【請求項１４】
前記導光板の外側に導光板に含まれた基材のうち最も屈折率が高い基材対比屈折率が０．０５以上低い低屈折率層をさらに含むことを特徴とする請求項１０から１３のいずれか１項に記載の非接触式座標入力システム。
【請求項１５】
前記屈折率が０．０５以上低い前記低屈折率層は、内部が多孔質または空洞の中空シリカ微粒子、またはフッ素系樹脂を用いるか、ＣａＦ２、ＭｇＦ２、ＮａＡｌＦ４、ＳｉＯ２、ＴｈＦ４、ＺｒＯ２、Ｎｄ２Ｏ３、ＳｎＯ２、ＴｉＯ２、ＣｅＯ２、ＺｎＳ、Ｉｎ２Ｏ３等の誘電体をドライ及びウェットコーティングして形成されることを特徴とする請求項１４に記載の非接触式座標入力システム。
【請求項１６】
前記蛍光体は、導光板に含まれたとき導光板のヘイズ（ｈａｚｅ）が１０％以下になるようにすることを特徴とする請求項１０から１５のいずれか１項に記載の非接触式座標入力システム。
【請求項１７】
前記蛍光体はシアニン（ｃｙａｎｉｎｅ）、ペリレン（ｐｅｒｙｌｅｎｅ）、アントラキノン（ａｎｔｈｒａｑｕｉｎｏｎｅ）、キサンテン（ｘａｎｔｈｅｎｅ）系のうちから選ばれた染料であることを特徴とする請求項１６に記載の非接触式座標入力システム。
【請求項１８】
前記演算部または前記演算部に連結されたコンピュータシステムは、前記光の到達座標をディスプレイ装置に表示することを特徴とする請求項１０から１７のいずれか１項に記載の非接触式座標入力システム。
【請求項１９】
前記導光板がディスプレイ装置の表面に接着されるか、別途の板形態でディスプレイ装置の前面に装着されるか、防護眼鏡等の形態で着脱が可能な形態を有することを特徴とする請求項１０から１８のいずれか１項に記載の非接触式座標入力システム。
【請求項２０】
前記ディスプレイ装置は、ＬＣＤ、ＰＤＰ、ＬＥＤ、ＦＥＤ、プロジェクション用スクリーン及びＣＲＴディスプレイ装置から選ばれたことを特徴とする請求項１９に記載の非接触式座標入力システム。
【請求項２１】
前記導光板は、ＬＣＤ偏光板、ＰＤＰフィルター、プロジェクション用スクリーンまたはＬＥＤ、ＦＥＤ、ＣＲＴ装置の表面に接着されたことを特徴とする請求項２０に記載の非接触式座標入力システム。
【請求項２２】
光排出装置から放出された光が入射する導光板で、蛍光体及び１つまたはそれ以上の透明基層を含む導光板と、前記導光板の横方向の端のうち１つまたは両方と、縦方向の端のうち１つまたは両方で受光部が前記導光板の端に向かうように前記導光板に付着され、前記導光板に到達した光を受けて蛍光体が発光した光を検知する複数の光センサと、前記光センサに連結され導光板に到達した光の到達座標を計算し、ディスプレイ装置またはこれと連結されたコンピュータシステムにその座標を伝達する演算部からなる非接触式座標入力システムを用いて導光板に入射された光の位置を非接触式で入力する座標入力方法で、
前記横方向の端に付着されたセンサのうち受光量が最も多いセンサの位置を前記入射した光の横座標に算定し、
前記縦方向の端に付着されたセンサのうち受光量が最も多いセンサの位置を前記入射した光の縦座標に算定することを特徴とする非接触式座標入力方法。
【請求項２３】
前記横方向の端または縦方向の端に付着されたセンサのうち受光量が最も多いセンサの位置を算定することにおいて、前記センサの位置と受光量の間の関係を回帰分析して用いることを特徴とする請求項２２に記載の非接触式座標入力方法。
【請求項２４】
蛍光体及び１つまたはそれ以上の透明基層を含むことを特徴とする非接触式座標入力システム用導光板に入射される光の座標を入力するための方法で、
導光板の一地点に光を入射する段階と、
前記入射された光により導光板内に含まれた蛍光体が光を発し２以上の地点に付着された光センサに前記光が到達する段階と、
光センサが到達された光を感知して到達された光の強度によって、それに相応する信号を出力する段階と、
前記出力された信号を予め用意された光の強度−距離との関係を示す回帰式に代入しセンサと光が入射された地点の間の距離を各センサ別に求める段階と、
前記求めた各センサ別の距離または２つのセンサの間の距離の割合が一定の点を成す軌跡が一致する地点を探し、その地点の座標を入射された光の座標にする段階と、
を含むことを特徴とする座標入力方法。
【請求項２５】
前記センサが３以上の場合に、２つのセンサ間に軌跡が一致する地点を１つまたはそれ以上探してから、各地点の座標の平均値に該当する地点を各センサ別距離が成す軌跡が一致する地点にすることを特徴とする請求項２４に記載の座標入力方法。
【請求項２６】
前記蛍光体は、前記導光板が有する前記透明基層の表面にコーティングされた形態または前記透明基層の内部にドーピングされた形態で前記導光板に含まれることを特徴とする請求項２４または請求項２５に記載の非接触式座標入力システム用座標入力方法。
【請求項２７】
前記透明基層はヘイズ（ｈａｚｅ）が１０％以下で、用いる蛍光物質の吸収発光波長領域における透過率が８０％以上であることを特徴とする請求項２６に記載の非接触式座標入力システム用座標入力方法。
【請求項２８】
前記導光板の外側に導光板に含まれた基材のうち最も屈折率が高い基材対比屈折率が０．０５以上低い低屈折率層をさらに含むことを特徴とする請求項２４から２７の何れか１項に記載の非接触式座標入力システム用座標入力方法。
【請求項２９】
前記蛍光体は 導光板に含まれたとき導光板のｈａｚｅが１０％以下になるようにすることを特徴とする請求項２４から２８の何れか１項に記載の非接触式座標入力システム用座標入力方法。
【請求項３０】
前記導光板に到達した光を受けて蛍光体が発光した光を検知する２以上の光センサが前記導光板の前面、後面または側面に付着されていることを特徴とする請求項２４から２９の何れか１項に記載の座標入力方法。
【請求項３１】
前記入射する光は点滅する光源により点滅する形態で入射することを特徴とする請求項２４から３０の何れか１項に記載の座標入力方法。
【請求項３２】
前記導光板とセンサの間には蛍光体から放出する光の波長以外の波長を有する光を吸収するフィルターが設けられたことを特徴とする請求項２４から３１の何れか１項に記載の座標入力方法。